(57)【特許請求の範囲】
【請求項１】
インクリザーバを内装した筒状の筆記主体と、前記インクリザーバ内のインクを毛管作用によって筆記端に供給するペン先主体とでペンを構成するに際し、
前記ペン先主体を、インクリザーバに充填されたインクの色相と異なる色相に着色したこと
を特徴とするペン。
【請求項２】
前記ペン先主体は、
合成樹脂製のフィラメント又はスライバーを集束結合させた繊維束からなること
を特徴とする請求項１に記載のペン。
【請求項３】
前記ペン先主体は、
明度２．５以下に着色されているものであること
を特徴とする請求項２に記載のペン。
【請求項４】
筒状の筆記主体に内装されたインクリザーバのインクを、毛管作用によって筆記端に供給するペン先主体を構成するに際し、
前記ペン先主体を、前記インクリザーバに充填されたインクの色相と異なる色相に着色したこと
を特徴とするペン先。
【請求項５】
筒状の筆記主体に内装されたインクリザーバのインクを、毛管作用によって筆記端に供給するペン先主体を構成するに際し、
前記ペン先主体を、合成樹脂製のフィラメント又はスライバーを集束結合させた繊維束で形成するとともに、前記インクリザーバに充填されたインクの色相と異なる色相に着色したこと
を特徴とするペン先。
【請求項６】
前記ペン先主体への着色は、
明度２．５以下でなされていること
を特徴とする請求項５に記載のペン先。
【発明の詳細な説明】
【０００１】
【発明の属する技術分野】
この発明は、サインペン、マーキングペンなどの各種筆記具及びそれらの筆記具に用いられるペン先に関するものである。
より具体的には、実用一点張りでなく、遊戯性や遊び心のある筆記具やそのペン先に係り、筆記具製造技術に属するものである。
【０００２】
【従来の技術】
サインペン、マーキングペン、さらにはラインマーカや絵画用ペンなどにおいては、ペン先部の色と筆記されるインクの色を統一しておき、筆記に際し、書きたい色が容易に選べるように配慮されている。
通常、これら用途に多く使用されている繊維束からなるペン先は、白色度の高い（明度の高い）ものとし、ペン先にインクが染みわたった時、ペン先部にインクの色が鮮明に顕出するよう構成されている。
しかしながら、プラスチック成形体からなるペン先の場合は、当該プラスチック成形体をあらかじめ筆記用のインクと同じ色に着色したもの、又は白色もしくは無色ないし乳白色のものが使用される。
【０００３】
なかでも、繊維束からなるペン先は、その素材として、着色しているものよりも白いものの方が、商品価値が高いとされているが、ペン先を、用途に合わせて種々の特性を付与したものを使用すると、使用する材料によっては、優れた特性が得られるにもかかわらず、白くならずに、着色してしまい、使用に制限を受けるものがある。
【０００４】
例えば、油性ペンは、筆記先端の硬度や耐薬品性の面から、アクリル繊維を使用したペン先が適しているが、アクリル繊維は、ペン先の製造工程で加熱することによって黄色ないし褐色に変色することが避けられない。
そのため、変色したペン先は、上記したような考え方のもとでは、一般筆記用や濃色の油性ペンなどで、黒っぽい（明度の低い）インクを使用する場合や、排出されるインクがペン先の色と同系統である場合に使用が限定されているのが現状である。
【０００５】
【発明が解決しようとする課題】
いずれにしても、繊維束又はプラスチック成形体からなるペン先主体を使用した筆記具又はそのペン先は、通常、明度の高い白色もしくは無色のものを、筆記具を構成する筆記主体に装填している。
したがって、この筆記主体に充填されたインクがペン先主体に浸透し、充填されたインクと同じ色に染まっているに過ぎないもので、書きたい色が容易に選べて実用的な反面、事務的で筆記に対する新鮮さ（遊戯性・面白み・遊び心）に欠けていた。
【０００６】
この発明はかかる現状に鑑み、機能本位で実用的な従来の筆記具に、筆記に対する新鮮さ（遊戯性・面白み・遊び心）を付与する方法について検討し、実用的に同等で、遊戯性や遊び心のある筆記具を提供すべく鋭意研究した。
その結果、筆記具を構成するペン先と、このペン先から排出されるインクの色を異ならせることによって、意外性に富み、新鮮な感じを与え、遊び心を満足させる遊戯性の高い筆記具が得られることを見出し、この発明を完成させたものである。
【０００７】
【課題を解決するための手段】
すなわち、この発明の請求項１に記載の発明は、
インクリザーバを内装した筒状の筆記主体と、前記インクリザーバ内のインクを毛管作用によって筆記端に供給するペン先主体とでペンを構成するに際し、
前記ペン先主体を、インクリザーバに充填されたインクの色相と異なる色相に着色したこと
を特徴とするペンである。
【０００８】
また、この発明の請求項４に記載の発明は、
筒状の筆記主体に内装されたインクリザーバのインクを、毛管作用によって筆記端に供給するペン先主体を構成するに際し、
前記ペン先主体を、前記インクリザーバに充填されたインクの色相と異なる色相に着色したこと
を特徴とするペン先である。
【０００９】
【発明の実施の形態】
この発明において、筆記具のペン先は、筆記主体に内蔵されたインクリザーバのインクによって染められるだけではなく、インクリザーバに充填されているインクの色相と異なる色相に着色されていることを特徴とするものである。
【００１０】
かかる構成によって、意外性に富み、新鮮な感じを与え、遊び心を満足させる遊戯性の高い筆記具およびそのペン先が得られる。
したがって、インクの種類やペン先を構成するペン先主体の材質、構造などには格別な限定はないが、サインペン、マーキングペン、さらにはラインマーカや絵画用ペンなどの筆記具において、多く使用されている合成樹脂製のフィラメントやスライバーを集束結合させた繊維束からなるペン先主体を用いることによって、前記効果がより明瞭になるので好ましい。
【００１１】
なお、前記の繊維束を形成するフィラメント（長繊維タイプ）や、スライバー（短繊維タイプ）は、ポリエステル、ナイロン、アクリルなどの熱可塑性合成樹脂の溶融物又は溶解物を、ダイスに所定の圧力で供給することによって得られるもので、その材質は用途や求められる特性などによって適宜選択される。
【００１２】
筆記主体に内蔵されたインクリザーバに充填されているインクと、この筆記主体に用いられるペン先の色を違えることにより生じる効果は、視覚的なものであるので、太字や太線を筆記するペン先であれば、より強く視覚に訴えることができ、この発明が目的とする効果が大きく奏される。
【００１３】
特に、インクリザーバのインク色と、ペン先の色の相違による効果は、色の相違、色相及び明度に差を付けることによって達成されるので、その差が大きいことが好ましいので、以下、その差を、マンセルの色相環や明度表を利用して明確にする方法について説明する。
【００１４】
例えば、明度を２．５以下（例えば、暗い灰色ないし黒）、好ましくは２以下（例えば、赤みの黒ないしごく暗い赤）なるように着色した繊維束からなるペン先主体を用い、有彩色の明度の高い色のインク（例えば、明度８の黄色）を使用した場合、インクがペン先に染み出しても、ペン先主体の色はインクの色によって染まることはなく、常に黒ないし黒っぽく見え、インクの色をほとんど視認できない。
しかしながら、ペン先主体の先端から排出される筆記用のインクは黒ではなく、黄色であるので、筆記に対する新鮮な意外性が生じ、遊戯性が高いものとなる。
【００１５】
また、繊維束からなるペン先主体を、有彩色で、かつ明度を２．５以上、好ましくは２．５以上８．５以下、より好ましくは３以上８以下に着色し、これら明度と同等の明度を有するインクを使用することにより、インクが染みわたったペン先主体の色と、排出されるインクの色を異にすること、例えば、黄色に着色したペン先主体と、マンセルの色相環で黄色とほぼ対称位置にある、青色のインクとを組み合わせることによって、減法混色の効果でペン先主体は緑色に見えることになる。
その際、筆記されるインクは青色のままであり、筆記に対する新鮮な意外性が生じ、遊戯性が高くなる。
【００１６】
さらに、ペン先主体の色と筆記用のインクの色を、互いに補色に近い関係の色にすると、明度が高いもの同士の組み合せであっても、ペン先の色は明度２以下の黒色に近いものとなるので、黒色のペン先から、明度の高いインクが筆記されるという状況にすることもできる。
【００１７】
【実施例】
以下、この発明の筆記具およびこの筆記具に使用されるペン先の実施例を説明する。
なお、この発明の筆記具１は、尾端部が閉塞されたもので、図１に示すように、先端の開口部を軸方向に縮径させてペン先保持部２ａを形成した、比較的径の細い筒状の筆記主体２の内部にインクリザーバ５を固定するとともに、前記ペン先保持部２ａにホルダー３を介してペン先主体４を、その基端部がインクリザーバ５と接するように設けたものである。
【００１８】
＜実施例１＞
ポリエステル繊維を収束させ、ウレタン樹脂をバインダとして調製したペン先主体４を、黒色染料（日本化薬株式会社製；カヤロン・ポリエステル・ブラック・ＥＣＸ３００）３．０％（対繊維質量％）、染色助剤（塩）０．５ｇ／Ｌ、浴比１：１００、ｐＨ４．５の染浴で、温度１３５℃×３０分間染色した。
染め上がったペン先主体４の余分な染料を洗い流すために、ソーピング剤を用いて温度８０℃×２０分間還元洗浄を行い、明度１．５の黒色に着色したペン先を得た。
白紙の紙に筆記したとき、色調が黄色で、明度が８の黄色のインクの充填された筆記主体２に、上記明度１．５の黒色に着色したペン先を組み合わせて筆記具１とした。
この筆記具１は減法混色の効果で、ペン先は明度１．５の黒色でありながら、筆記するインクの色は明度８の黄色であった。
【００１９】
すなわち、得られた筆記具１は、黒（明度１．５）のペン先から色相の極端に異なる黄色（明度８）のインクが排出されるというもので、これまでの常識を裏切り、視覚的効果が大きく、筆記に対する新鮮な意外性を生じ、遊戯性が高く、遊び心の大きいものである。
【００２０】
＜実施例２＞
実施例１と同様のペン先主体２に、青色の染料（桂屋ファイングッズ製；コールダイホットＦ７１サックスブルー）を用いて染色を行い、明度５の青色に着色したペン先を得た。
白紙の紙に筆記したとき、色調が黄色で、明度８の黄色のインクが充填された筆記主体２に、上記明度５の青色に着色したペン先を組み合わせて筆記具１とした。
この筆記具１は、減法混色の効果で、ペン先部は明度５の緑色でありながら、筆記するインクの色は明度８の黄色であった。
【００２１】
すなわち、得られた筆記具１は、緑（明度５）のペン先から色相の異なる黄色（明度８）のインクが排出されるというものである。
実施例１と同様に、これまでの常識を裏切り、視覚的効果が大きく、筆記に対する新鮮な意外性を生じ、遊戯性が高く、遊び心の大きいものである。
【００２２】
なお、ペン先部を緑色にするためには、青色のペン先と黄色のインクを組み合わせるだけでなく、黄色のペン先と青色のインクを組み合わせても、ペン先部を緑色にすることができる。
また、ペン先部が緑色でも、筆記するインクが黄色のペンや、筆記するインクが青色であるペンを作ることができる。
【００２３】
＜実施例３＞
白紙の紙に筆記したとき、色調が赤色で、明度４の赤インクの充填された筆記主体に、実施例２で使用した明度５の青色に着色したペン先を組み合わせて筆記具１とした。
この筆記具１は、減法混色の効果で、青色のペン先部は明度２の黒色になり、筆記するインクの色は明度４の赤色であった。
【００２４】
すなわち、得られた筆記具１は、黒（明度２）のペン先から色相の異なる赤色（明度４）のインクが排出されるというものである。
実施例１と同様に、これまでの常識を裏切り、視覚的効果が大きく、筆記に対する新鮮な意外性を生じ、遊戯性が高く、遊び心の大きいものである。
【００２５】
このようにペン先の色とインクの色を、互いに補色に近い関係にすると、明度が２．５以上の組み合せであっても、減法混色の効果でペン先部の色が明度２．５以下の黒色ないし黒に近い色になり、インクの色とペン先の色を異ならせることができる。
【００２６】
なお、この実施例においては、ペン先主体は繊維束からなるものを使用しているが、プラスチック成形体でペン先主体を構成し、このペン先主体の外周面を着色することによっても同様の効果を得られる。
【００２７】
【発明の効果】
この発明の筆記具は、着色されたペン先から、ペン先の色と異なるインクが排出され、筆記されるため、これまでの常識を破る、視覚的な面白みが生じ、筆記に対する新鮮な意外性を生み、遊戯性を高め、遊び心を満足させるペンとなり、実用一点張りの従来品に対し、趣味性を付加したものとして、その用途を大きく拡大するという効果を奏するものである。
【００２８】
さらに、この発明によれば、特性が優れるにも係わらず、使用が限定されていたアクリル繊維からなるペン先を、新しい見方に基づいて、種々の筆記具に利用できるという効果も奏されるのである。
【図面の簡単な説明】
【図１】  この発明の実施例に使用した筆記具の要部の拡大断面図である。
【符号の説明】
１     筆記具
２     筆記主体
２ａ   ペン先保持部
３     ホルダー
４     ペン先主体
５     インクリザーバ
【図１】
0004748494.tif 000002